(57)【要約】  【課題】耐久性が向上し、且つ、洗浄水の量が低減可能な汚物排出システムを有する洋風便器を提供する。  【解決手段】本発明による可変式汚物排出システムを有する洋風便器は、ボウル１の後方側に給水流路３と連結されるように設けられる伸縮型の水袋３００と、前記水袋を収縮するための弾性力を発揮する引張スプリング１１と、ブラケット９を介して前記水袋３００と連結されたままで水袋３００の伸縮運動により昇降作動しながらボウル１内の汚物を排出する可変式サイフォン管１００と、前記水袋３００と可変式サイフォン管１００を連結する微細管２１とを有する可変サイフォン方式の汚物排出システムと、前記汚物排出システムの外部を取り囲むように設けられるカバー２００と、を備える。  【選択図】  図２
2010503783.tif 000002
【特許請求の範囲】
【請求項１】
ボウルの後方側に給水流路と連結されるように設けられる伸縮型の水袋と、前記水袋を収縮するための弾性力を発揮する引張スプリングと、ブラケットを介して前記水袋と連結されたままで水袋の伸縮運動により昇降作動しながらボウル内の汚物を排出する可変式サイフォン管と、前記水袋と可変式サイフォン管を連結する微細管とを有する可変サイフォン方式の汚物排出システムと、前記汚物排出システムの外部を取り囲むように設けられるカバーと、を備え、前記カバーは、同じ形状を有する第１のハーフカバーと第２のハーフカバーが結合されてなり、前記カバーには、前記給水流路と連結される第１のポートと、前記ボウルと連結される第２のポートと、底面に埋設された底管と連結される第３のポートと、が配備され、前記可変式サイフォン管の一端は蛇腹管を介してボウルと連結され、他端は前記カバーの内部に連通し、前記引張スプリングは前記水袋に内蔵されるが、前記引張スプリングの上端は前記給水流路の排出口に配設された上掛止棒に固定され、前記引張スプリングの下端は前記水袋の底面またはブラケットに配設された下掛止棒に固定されることを特徴とする洋風便器。
【請求項２】
前記水袋は、上下方向に折畳可能なテレスコープ状または蛇腹状のものであることを特徴とする請求項１に記載の洋風便器。
【請求項３】
前記可変式サイフォン管は直線形状を有し、排出口側には前記ブラケットに据え置き自在に掛止部が配設されていることを特徴とする請求項１に記載の洋風便器。
【請求項４】
前記カバーは、合成樹脂製のものであることを特徴とする請求項１に記載の洋風便器。
【発明の詳細な説明】
【技術分野】
【０００１】
本発明は洋風便器に係り、さらに詳しくは、耐久性が向上し、且つ、洗浄水の量が低減可能な汚物排出システムを有する洋風便器に関する。
【背景技術】
【０００２】
従来の可変サイフォン管方式の洋風便器は、例えば、下記の特許文献１に開示されている。
【０００３】
また、図１に示すように、この洋風便器は、ボウル１の後方側に給水流路３と連結されるように設けられる伸縮型水袋５と、前記水袋５を給水流路３と結合する上ブラケット７と、前記水袋５の底面に連設される下ブラケット９と、前記上ブラケット７と下ブラケット９の両端部をそれぞれ弾性連結する引張スプリング１１と、前記ボウル１の出水口１ａに一方の開口端１３ａが上蛇腹管１５を介して連結され、他方の開口端１３ｂは底管１９に下蛇腹管１７を介して連結され、折曲部１３ｃは前記下ブラケット９と結合された可変サイフォン管１３と、前記水袋５と可変サイフォン管１３を連結する微細管２１と、を備えている。ところが、上記した従来の洋風便器は、次のような問題点を有している。
【０００４】
上述した従来の洋風便器においては、可変サイフォン管が長尺状であり（Ｕ字状）、底管に下蛇腹管を介して連結されているため、これを昇降するためには弾性力が大きな引張スプリングの設置を余儀なくされ、また、引張スプリングの弾性力が大きなため、可変サイフォン管を下降するときにスプリング体を引っ張るための水袋の容量も大きいことが求められる。したがって、水槽から排出される水の相当量が大容量の水袋に流れ込むため、ボウルに投入されるべき水量がその分低減されざるを得ず、これは、ボウルの洗浄効率の低下につながる。
【０００５】
また、見栄えをよく仕上げる目的で、ボウルの後方に設けられる部品をセラミック材質（陶器類）により覆っているが、この方式のセラミック便器の製作は生産性の低下を来たし、これは、製品のコスト高につながる。
【０００６】
さらに、図１に示すように、スプリング体が両サイドの２個所に設けられるが、両サイドの弾性力が一定でなければ、安定した可変サイフォン管の昇降運動ができなくなる。もし、両サイドのスプリング体の弾性力が一定ではなかったり、セラミック（陶器）の製造過程において便器の水槽の底面が水平にならなかったりするなど、スプリング体の配設位置に違いがあれば、可変サイフォン管が不安定に昇降運動をしてしまい、これは、水袋と可変サイフォン管の両端に配設された上下の蛇腹管の異常磨耗の原因となる。
【０００７】
特に、図１に示すように、可変サイフォン管の両サイドにスプリング体が外付けされるため、水袋と２本のスプリング体との合計幅が比較的に大きいといえるが、幅が大きいと、その周りを覆うセラミックカバーの幅も増大してしまう結果、ボウルの後位をスリムに設計することができず、消費者の様々なニーズに応え難い。
【０００８】
耐久性の側面から、従来の洋風便器における最も脆弱な部分は、持続的に関節運動がなされる蛇腹管の部位であると言える。もちろん、従来より、このような脆弱点を補うために耐久性に優れた材質を採用してはいるが、特に、下蛇腹管は、下降運動時に底面と頻繁に接触するため、上蛇腹管に比べて寿命が短縮されて耐久性に問題点があった。
【先行技術文献】
【特許文献】
【０００９】
【特許文献１】大韓民国特許第１０−４７９６７８号公報
【発明の開示】
【発明が解決しようとする課題】
【００１０】
本発明は上記事情に鑑みてなされたものであり、その目的は、可変サイフォン管のサイズを既存に比べて大幅に短縮することにより、これを持ち上げるスプリングの弾性力を低減することが可能になる結果、スプリングを引っ張る役割を果たす水袋の容量を既存に比べて約半分に縮小することができることから、水袋への洗浄水の量を低減する代わりに、より多量の洗浄水をボウルに供給することができてボウルの洗浄効果を高めることのできる可変サイフォン方式の洋風便器を提供するところにある。
【課題を解決するための手段】
【００１１】
上記の目的を達成するために、本発明は、ボウルの後方側に給水流路と連結されるように設けられる伸縮型の水袋と、前記水袋を収縮するための弾性力を発揮する引張スプリングと、ブラケットを介して前記水袋と連結されたままで水袋の伸縮運動により昇降作動しながらボウル内の汚物を排出する可変式サイフォン管と、前記水袋と可変式サイフォン管を連結する微細管とを有する可変サイフォン方式の汚物排出システムと、前記汚物排出システムの外部を取り囲むように設けられるカバーと、を備える。
【００１２】
ここで、前記カバーは、同じ形状を有する第１のハーフカバーと第２のハーフカバーが結合されてなり、前記カバーには、前記給水流路と連結される第１のポートと、前記ボウルと連結される第２のポートと、底面に埋設された底管と連結される第３のポートと、が配備され、前記可変式サイフォン管の一端は蛇腹管を介してボウルと連結され、他端は前記カバーの内部に連通し、前記引張スプリングは前記水袋に内蔵されるが、前記引張スプリングの上端は前記給水流路の排出口に配設された上掛止棒に固定され、前記引張スプリングの下端は前記水袋の底面またはブラケットに配設された下掛止棒に固定される。
【図面の簡単な説明】
【００１３】
【図１】従来の可変サイフォン方式の洋風便器の側面図である。
【図２】本発明による可変式汚物排出システムの側面図であって、作動前の状態図である。
【図３】図２におけるＡ部の拡大図である。
【図４】本発明による可変式汚物排出システムの側面図であって、作動後の状態図である。
【図５】従来の水袋と本発明の水袋との内容量比較図である。
【図６】本発明による可変式汚物排出システムにおけるカバーの分解斜視図である。
【発明を実施するための最良の形態】
【００１４】
以下、添付図面に基づき、本発明の好適な実施形態を詳述する。
【００１５】
図２は、本発明による可変式汚物排出システムの側面図であって、作動前の状態を示し、図３は、図２におけるＡ部の拡大図である。そして、図４は、本発明による可変式汚物排出システムの側面図であって、作動後の状態を示す。
【００１６】
図５は、従来の水袋と本発明の水袋との内容量比較図であり、図６は、本発明による可変式汚物排出システムにおけるカバーの分解斜視図である。
【００１７】
同図に示すように、本発明の洋風便器は、ボウル１の後方側に給水流路３と連絡されるように設けられる伸縮型の水袋と、前記水袋を引張及び収縮するための弾性力を発揮する引張スプリング１１と、ブラケット９を介して前記水袋と連結されたままで水袋の伸縮運動により昇降作動しながらボウル１内の汚物を排出する可変式サイフォン管１００と、前記水袋と可変式サイフォン管１００を連結する微細管２１とを有する可変サイフォン方式の汚物排出システム３０を備える。
【００１８】
前記可変式サイフォン管１００は、直線管の形状を有し、且つ、軽量化を図る目的で、既存に比べて、その長さが約半分に短縮されている。このため、その連結構造も既存のものとは異なってくる。具体的には、その入口端１０１は前記ボウル１の出水口１ａに蛇腹管１５を介して連結されていて、出口端１０３が上下左右に変位可能であり、また、前記出口端１０３には、下記の水袋３００の底面に連設するブラケット９に据え置き自在に折曲状の掛止部１０５が設けられている。このとき、前記出口端１０３は、既存とは異なり、底管１９と連結された状態ではないため、出口端１０３を介して排出される汚物を底管１９に導くための手段が必要となる。このため、後述するカバー２００が汚物を底管１９に導く役割を果たす。
【００１９】
上述したカバー２００は、図６に示すように、プラスチック射出物からなり、同じ形状を有する第１のハーフカバー２１０と第２のハーフカバー２２０が別体に製作されて、これらの両ハーフカバーを気密及び水密が維持されるように組み合わせることにより筒形状を有し、その内部に前記汚物排出システム３０が内蔵される。なお、前記カバー２００には、前記給水流路３の出口３ａと連結される第１のポート２０１と、前記ボウル１の排出口１ａと連結される第２のポート２０３と、底面に埋設された底管１９の入口側と連結される第３のポート２０５と、が配備されている。このカバー２００は、汚物排出システム３０の外部を取り囲むように設けられて汚物排出システムを覆うことにより見栄えをよく仕上げると共に、前記可変式サイフォン管１００の出口端１０３から排出される汚物を前記底管１９に導く。このとき、前記カバー２００の下部は、前記汚物を底管１９に円滑に導くために漏斗状を呈することが好ましい。
【００２０】
さらに、前記カバー２００は、その内部に汚物が通過するため、汚物からの悪臭と水が外部に漏れ出ないように気密及び水密を維持することが重要である。このため、第１のハーフカバー２１０と第２のハーフカバー２２０との突合面には、これらの両カバーを螺合するためのフランジ部２２１をそれぞれ連設し、これらのフランジ部の間には気密性及び水密性に優れたガスケット２３０を介装することが必要である。そして、各ポートは、気密及び水密を維持するために、下記のように構成される。
【００２１】
先ず、第１のポート２０１と給水流路３の出口３ａとの気密及び水密の維持のための構成は、下記の通りである。
【００２２】
前記給水流路３の出口３ａの外周に、後述する水袋３００の上側の入口３０１を嵌着するが、給水流路３の出口３ａと水袋３００の入口３０１との間に悪臭及び水が漏れ出ることを防ぐために第１のガスケット２４０を介装し、前記第１のポート２０１は前記水袋３００の入口３０１に外嵌し、前記給水流路３の出口３ａの外周面の上側には第２のガスケット２４２を設けるが、第２のガスケット２４２の下側には延長部２４２ａを配設し、この延長部が前記第１のポート２０１の外周面を取り囲むようにした後、延長部２４２ａの外部から第１のクランプ２４４を締め付けることにより、第１のガスケット２４０及び第２のガスケット２４２により第１のポート２０１における気密及び水密の維持を図るようにし、前記第２のガスケット２４２の外周には第２のクランプ２４６を締め付けることにより、第１のポート２０１においては、第１及び第２のガスケット２４０、２４２と、第２のガスケットの延長部２４２ａにより完璧な気密及び水密を維持することが可能になる。
【００２３】
前記第２のポート２０３とボウル１の排出口１ａとの気密及び水密の維持のための構成は、下記の通りである。
【００２４】
前記ボウル１の排出口１ａの外周の一部に第２のポート２０３を嵌着するが、第２のポート２０３と排出口１ａとの間に悪臭及び水が漏れ出ることを防ぐために第３のガスケット２５０を介装し、前記ボウル１の排出口１ａの他の一部に第４のガスケット２５２を設けるが、第４のガスケットの一側には延長部２５２ａを配設し、この延長部が前記第２のポート２０３の外周面を取り囲むようにした後、延長部２５２ａの外部から第３のクランプ２５４を締め付けることにより、第３のガスケット２５０及び第４のガスケット２５２により第２のポート２０３における気密及び水密の維持を図るようにし、前記第４のガスケット２５２の外周には第４のクランプ２５６を締め付けることにより、第２のポート２０３においては、第３及び第４のガスケット２５０、２５２と、第４のガスケット２５２の延長部２５２ａにより完璧な気密及び水密を維持することが可能になる。
【００２５】
前記第３のポート２０５と底管１９との気密及び水密の維持のための構成は、下記の通りである。
【００２６】
前記底管１９の入口側の内周に前記第３のポート２０５を嵌着するが、前記底管１９と第３のポート２０５との間に悪臭及び水が漏れ出ることを防ぐために第５のガスケット２６０を介装し、前記第３のポート２０５の外周に第５のクランプ２６２を締め付けることにより、第３のポート２０５においては、第５のガスケット２６０及び第５のクランプ２６２により気密及び水密を維持することが可能になる。一方、前記水袋３００は、プラスチック射出物からなり、上下方向に折畳可能なテレスコープ状または蛇腹状に形成可能である。特に、前記テレスコープ状は、アンテナの構成原理と同様に、大きな筒体から次第に小さくなる筒体が連続して折畳可能に構成されている。すなわち、完全に折り畳まれたときには内容量が小さくなり、展開されると内容量が大きくなるといった可変型内容量の構造を有している。このとき、前記筒体と筒体との隙間に水が漏れる恐れがあるため、筒体間の連結部３１１にリング状ガスケット３１０が介装されることが好ましい。
【００２７】
他方、前記引張スプリング１１は前記水袋３００に内蔵されるが、前記引張スプリングの上端は前記給水流路３の排出口３ａに配設された上掛止棒１１ａに固定され、下端は前記水袋３００の底面またはブラケット９に配設された下掛止棒１１ｂに固定される。
【００２８】
以下、上述した本発明の作動過程を説明する。
【００２９】
図２に示すように、作動前の状態からボウル１内の汚物を排出するために、水槽２の水を排水すると、極少量の水は小容量の水袋３００に流れ込み、これにより、折り畳まれていた水袋が流れ込んだ水の重さにより拡開されながら長さが伸張すると共に、引張スプリング１１も水袋３００の伸張力により引っ張られた状態となる。これにより、水袋３００の下部に位置する可変式サイフォン管１００の出口端１０３は図中の下方に変位すると同時に、前記水槽２から排出されるほとんどの水は給水流路３に沿ってボウル１の内部に供給されてボウル１の内部に溜まっていた汚物が排出される。
【００３０】
前記水袋３００の伸張力により可変式サイフォン管１００の出口端１０３が下降すると、可変式サイフォン管の内部管路が下向きに傾いた状態となるため、ボウル１内の汚物とボウルの内部に供給される水が可変式サイフォン管１００の出口端１０３を介してカバー２００の内部に排出され、この過程において、前記水袋３００に溜まっていた水は、水槽２からの排水が中断すると、可変式サイフォン管１００の内部の容量が減少しながら、微細管２１を介して可変式サイフォン管１００の内部に排出される。
【００３１】
前記水袋３００内の水が微細管２１を介して可変式サイフォン管１００に排出されることに伴い、水袋の重さは次第に減少するが、水袋の重さが減少すると、次第に引張スプリング１１の弾性力に支配されながら、水袋が元のサイズに縮小されると共に、前記可変式サイフォン管１００の出口端１０３は引張スプリング１１の弾性力により上昇する。このとき、前記水袋３００の容量は、上述したように、既存に比べて減少されているため、既存に比べて迅速に上昇し、結果的に、可変式サイフォン管１００の上昇時期も早くなる。このため、従来の可変式洋風便器は、水袋の内部の水量がボウル１の残水（貯留水）となっていたが、本発明品は、前記可変式サイフォン管１００が既存に比べて迅速に上昇することにより、前記水袋３００の内部残水と完全に排水し切れなかったボウル１の内部の水がボウル１の残水（貯留水）となる。
【産業上の利用可能性】
【００３２】
上述したように、本発明は、可変サイフォン管のサイズ（内容量）を既存に比べて大幅に短縮することにより、これを持ち上げるスプリングの弾性力を低減することが可能になる結果、スプリングを引っ張る水袋の容量を既存に比べて約半分に縮小することができることから、水袋に投入される洗浄水の水量を減らす代わりに、より多量の洗浄水をボウルに供給することができ、その結果、ボウルの洗浄効果が上がり、部品コストが削減されると共に、水袋の小型化により便器の後面のデザインの多様化が図られる。
【００３３】
また、本発明は、単一の引張スプリングが内蔵されることから、引張スプリングの伸縮時に可変サイフォン管の安定した昇降運動が可能になり、部品点数の減少によりコスト節減も図られる。
【００３４】
さらに、本発明は、カバーの材質としてプラスチック素材を採用することにより、陶器に比べてコスト節減が図られる。
【００３５】
さらにまた、本発明は、引張スプリングが水袋に内蔵されることにより、外付けの場合に比べて、外部スプリングの掛止棒が不要になる結果、幅が大いに減少されることから、カバーのスリムな設計が可能であり、しかも、便器の後面のデザインの多様化が図られる。
【００３６】
さらにまた、従来の洋風便器における最も脆弱な部分は、耐久性の側面から、持続的に関節運動がなされる蛇腹管の部位であると言え、特に、下蛇腹管（サイフォン管と底面の汚物排出口との連結部）は、下降運動時に底面と頻繁に接触するため、上蛇腹管（ボウルとサイフォン管との連結部）に比べて寿命が短縮されて耐久性に問題点があったが、本発明によれば、下蛇腹管を除去することにより耐久性が向上する。
【図１】
2010503783.tif 000003
【図２】
2010503783.tif 000004
【図３】
2010503783.tif 000005
【図４】
2010503783.tif 000006
【図５】
2010503783.tif 000007
【図６】
2010503783.tif 000008
【国際調査報告】
2010503783.tif 000009
2010503783.tif 000010